(57)【要約】【課題】  プリントされた画像データを記憶部から削除する写真処理装置において、１つの画像データについてプリントサイズ等の各種設定を変更して複数のプリントを行う場合でも、効率よく良好な写真プリントを行うことが可能な写真処理装置および写真処理プログラムを提供する。【解決手段】  写真プリントシステム１は、１つの撮影コマ画像について、１つの設定でプリントする場合には設定完了後にメモリ３０から対応する画像データを削除する第１制御部３３と、複数の設定を行ってそれぞれの設定でプリントする場合には各設定が完了してもメモリ３０から対応する画像データを削除せずに保持する第２制御部３４とを備えている。【選択図】      図３
2006178272.tif 000002
【特許請求の範囲】
【請求項１】
撮影コマ画像に対応する画像データを取得する画像読取部と、
前記画像読取部において取得された前記画像データを一時的に記憶する記憶部と、
前記撮影コマ画像を表示する表示部と、
前記表示部に表示された前記撮影コマ画像に対して各種設定を行う設定入力部と、
前記画像データを受信して前記設定入力部における設定内容を反映させてプリントするプリント部と、
前記設定入力部における設定が完了した前記撮影コマ画像に対応する前記画像データを前記記憶部から前記プリント部に送信するとともに前記記憶部から削除する第１制御部と、
前記設定入力部において連続して複数の設定を行う場合には、前記設定入力部において最初の設定が完了した前記撮影コマ画像に対応する前記画像データを前記記憶部に保持させる第２制御部と、
を備えている写真処理装置。
【請求項２】
前記第２制御部は、前記複数の設定を行う場合には、各設定が完了するたびごとに前記設定を行った前記画像データを前記記憶部から前記プリント部へ送信する、
請求項１に記載の写真処理装置。
【請求項３】
前記記憶部には、前記撮影コマ画像に対応する高解像度の画像データと、低解像度の画像データとが一時的に記憶されている、
請求項１または２に記載の写真処理装置。
【請求項４】
前記複数の設定には、プリントサイズ、補正内容、文字入れのうち少なくともいずれか１つの設定が含まれる、
請求項１から３のいずれか１項に記載の写真処理装置。
【請求項５】
前記設定入力部は、前記撮影コマ画像について前記設定を行う際に前記表示部の画面上に表示される、前記第１制御部に対応する第１入力部と、前記第２制御部に対応する第２入力部とを有している、
請求項１から４のいずれか１項に記載の写真処理装置。
【請求項６】
撮影コマ画像に対応する画像データを取得する第１のステップと、
前記第１のステップにおいて取得された画像データを記憶部において一時的に保存する第２のステップと、
前記撮影コマ画像を表示する第３のステップと、
前記第３のステップにおいて表示された前記撮影コマ画像に対して各種設定を行う第４のステップと、
前記第４のステップにおいて１つの前記撮影コマ画像に対して複数の設定を行う場合には、前記撮影コマ画像に対応する前記画像データを前記記憶部において保持する第５のステップと、
前記第４のステップにおいて設定された内容に基づいて、前記撮影コマ画像をプリントする第６のステップと、
を備えた写真処理方法をコンピュータに実行させる写真処理プログラム。
【発明の詳細な説明】
【技術分野】
【０００１】
本発明は、写真プリントを行う撮影コマ画像に対応する画像データをメディア等の記録媒体から取得して、選択した各撮影コマ画像のプリント枚数や補正処理内容等の設定を行う写真処理装置および写真処理プログラムに関する。
【背景技術】
【０００２】
近年、デジタルカメラ等の装置によって撮影されて得られるデジタル画像データや、写真フィルムに撮影された画像をフィルムスキャナによって読み取って形成されたデジタル画像データ等に基づいて、写真をプリントする写真プリント装置（デジタルミニラボ）が広く用いられている。
このような写真プリント装置では、取得した画像データを低解像度の画像データと高解像度の画像データとに分けて保存し、そのうち低解像度の画像データをモニタ等に複数表示した、いわゆるプレジャッジ画面において、プリント枚数や補正処理内容の設定を行っている。
【０００３】
特許文献１には、このプレジャッジ画面において、補正処理内容等のプリント条件を設定してプリントする写真処理装置について開示されている。
【特許文献１】特開２００１−２７２７３０号公報（平成１３年１０月５日公開）
【発明の開示】
【発明が解決しようとする課題】
【０００４】
しかしながら、上記従来の写真処理装置では、以下に示すような問題点を有している。
すなわち、上記公報に開示された写真処理装置では、１つの画像データに対してプリントサイズや補正処理内容、文字入れの有無等を設定してプリントすると、取得した画像データを一時的に保存する記憶部のメモリ容量削減のために、プリントされた画像データが記憶部から削除される。このため、１つの画像データについて設定内容を変更して再度プリントする場合には、スキャナ等の画像読取部によって画像データを再度取得する必要があり効率が悪かった。
【０００５】
また、スキャナ等の画像読取部によって画像データを再取得した場合には、１回目に取得された画像データと色合いが変わってしまう場合があり、設定内容を変更した２つのプリント間においてユーザの意図しない部分での差異が生じるおそれがある。
本発明の課題は、プリントされた画像データを記憶部から削除する写真処理装置において、１つの画像データについてプリントサイズ等の各種設定を変更して複数のプリントを行う場合でも、効率よく良好な写真プリントを行うことが可能な写真処理装置および写真処理プログラムを提供することにある。
【課題を解決するための手段】
【０００６】
第１の発明に係る写真処理装置は、画像読取部と、記憶部と、表示部と、設定入力部と、プリント部と、第１制御部と、第２制御部と、を備えている。画像読取部は、撮影コマ画像に対応する画像データを取得する。記憶部は、画像読取部において取得された画像データを一時的に記憶する。表示部は、撮影コマ画像を表示する。設定入力部は、表示部に表示された撮影コマ画像に対して各種設定を行う。プリント部は、画像データを受信して設定入力部における設定内容を反映させてプリントする。第１制御部は、設定入力部における設定が完了した撮影コマ画像に対応する画像データを記憶部からプリント部に送信するとともに記憶部から削除する。第２制御部は、設定入力部において連続して複数の設定を行う場合には、設定入力部において最初の設定が完了した撮影コマ画像に対応する画像データを記憶部に保持させる。
【０００７】
ここでは、デジタルカメラ等で撮影した撮影コマ画像に対応する画像データをメディアやフィルム等から取得して一時的に記憶し、表示部に表示されるいわゆるプレジャッジ画面において各撮影コマ画像ごとにプリントサイズや補正内容、文字入れ等の各種設定を行ってプリントする写真処理装置において、設定後の画像データの取り扱いについて規定している。
【０００８】
通常、このようなプレジャッジ画面においてプリント処理の設定を行う写真処理装置では、画像データを一時的に保存する記憶部の容量を極力抑えるために、１つの画像データについて１つの設定が完了すると、プリントを行うプリント部に画像データを送信すると同時にメモリからその画像データを削除していた。このため、従来の写真処理装置では、１つの撮影コマ画像を複数のプリントサイズ、補正内容でプリントする場合には、再度その画像データをスキャナ等の画像読取部によって取得する必要があり面倒であった。
【０００９】
そこで、本発明の写真処理装置では、１つの撮影コマ画像について、通常時には設定が確定すると、その撮影コマ画像に対応する画像データが記憶部から削除される一方、設定内容を変更して複数の設定を行う場合には、記憶部から画像データを削除せずに保持する。
このように、設定完了後の画像データの取り扱いについて２つの制御を使い分けることにより、例えば、１つの画像を複数のプリントサイズでプリントする際に、１つ目のプリントサイズの設定を完了しても、そのまま連続して異なるプリントサイズの設定を行うことができる。よって、上記従来の写真処理装置と比較して、スキャナ等を用いた画像の再読み取りが不要になるため、１つの撮影コマ画像に対して複数の設定がなされた複数のプリントを効率よく行うことができる。
【００１０】
さらに、画像データの取得が１回で済むため、１回目に取得した画像データと２回目に取得した画像データとで、画像の色合いに差が出るといった不具合を解消して安定して良好なプリント処理を行うこともできる。
第２の発明に係る写真処理装置は、第１の発明に係る写真処理装置であって、第２制御部は、複数の設定を行う場合には、各設定が完了するたびごとに設定を行った画像データを記憶部からプリント部へ送信する。
【００１１】
ここでは、１つの画像データに対して複数の設定を行う場合において、第２制御部が最後の設定が完了するまで画像データをそのまま残し、各設定の完了ごとに設定内容を反映させた画像データをプリント部に対して送信する。
これにより、１つの画像データに対する全ての設定が完了した後で各設定内容を反映させた全ての画像データを送信する場合と比較して、次の設定中にすでに設定完了した分をプリントすることができるため、プリント処理を効率よく行うことができる。さらに、ある撮影コマ画像に対して複数の設定を反映させた画像データを、プリントの順番を入れ替えることなく表示部に表示された順にプリントすることができる。
【００１２】
第３の発明に係る写真処理装置は、第１または第２の発明に係る写真処理装置であって、記憶部には、撮影コマ画像に対応する高解像度の画像データと、低解像度の画像データとが一時的に記憶されている。
ここでは、撮影コマ画像に対応する画像データとして、高解像度の画像データと低解像度の画像データとをそれぞれ記憶している。
【００１３】
これにより、１つの撮影コマ画像について複数の設定に基づいて複数のプリントを行う場合には、高解像度の画像データを記憶部に保持したまま、低解像度の画像データに基づいて表示された表示部の画像を見ながら各種設定を行うことができる。また、高解像度の画像データをプリント用として、低解像度の画像データを表示部に表示してプレジャッジ用に使用することで、表示部を見ながらプリントサイズや補正内容等の設定を行う際の操作時の負荷を軽減することができる。
【００１４】
第４の発明に係る写真処理装置は、第１から第３の発明のいずれか１つに係る写真処理装置であって、複数の設定には、プリントサイズ、補正内容、文字入れのうち少なくともいずれか１つの設定が含まれる。
ここでは、１つの画像データに対して行う複数の設定として、プリントサイズ、補正内容、文字入れのいずれか１つの設定を行う。
【００１５】
これにより、１つの撮影コマ画像について、例えば、Ｌ版と２Ｌ版のプリントサイズで各１枚ずつのプリントを行う場合や、補正内容を変更して複数のプリントを行う場合、写真に文字を入れたプリントと文字を入れないプリントとを行う場合でも、再度画像データを取得することなくそのまま複数の設定を行うことができる。
第５の発明に係る写真処理装置は、第１から第４の発明のいずれか１つに係る写真処理装置であって、設定入力部は、撮影コマ画像について設定を行う際に表示部の画面上に表示される、第１制御部に対応する第１入力部と、第２制御部に対応する第２入力部とを有している。
【００１６】
ここでは、各撮影コマ画像について各種設定を行う際には、表示部に表示されている画面上に、第１制御部および第２制御部にそれぞれ対応する２つの入力部（第１入力部、第２入力部）を、例えば入力ボタンとして表示している。
このため、ユーザは、１つの撮影コマ画像に対して１つの設定のみでプリントする場合には第１制御部に対応する第１入力部をクリックしてプリントする一方、複数の設定を行う場合には第２制御部に対応する第２入力部をクリックして連続して複数の設定を行うことができる。この結果、第１制御部と第２制御部とで別々の入力部を表示部の画面上に設けたことで、ユーザの操作性を向上させることができる。
【００１７】
第６の発明に係る写真処理プログラムは、第１〜第６のステップを備えた写真処理方法をコンピュータに実行させる写真処理プログラムである。第１のステップでは、撮影コマ画像に対応する画像データを取得する。第２のステップでは、第１のステップにおいて取得された画像データを記憶部において一時的に保存する。第３のステップでは、撮影コマ画像を表示する。第４のステップでは、第３のステップにおいて表示された撮影コマ画像に対して各種設定を行う。第５のステップでは、第４のステップにおいて１つの撮影コマ画像に対して複数の設定を行う場合には、撮影コマ画像に対応する画像データを記憶部において保持する。第６のステップでは、第４のステップにおいて設定された内容に基づいて、撮影コマ画像をプリントする。
【００１８】
ここでは、デジタルカメラ等で撮影した撮影コマ画像に対応する画像データをメディアやフィルム等から取得して一時的に記憶し、いわゆるプレジャッジ画面において各撮影コマ画像ごとにプリントサイズや補正内容、文字入れ等の各種設定を行ってプリントする写真処理方法をコンピュータに実現させる写真処理プログラムにおいて、設定後の画像データの取り扱いについて規定している。
【００１９】
通常、このようなプレジャッジ画面においてプリントサイズ等の各種設定を行う写真処理方法では、画像データを一時的に保存する記憶部の容量を極力抑えるために、１つの撮影コマ画像について１つの設定が完了すると、プリントを行うプリント部に画像データを送信すると同時にメモリから対応する画像データを削除していた。このため、従来の写真処理方法では、１つの撮影コマ画像を複数のプリントサイズ、補正内容でプリントする場合には、再度その画像データをスキャナ等によって取得する必要があり面倒であった。
【００２０】
そこで、本発明の写真処理プログラムでは、１つの画像データについて複数の設定を行う場合には、その撮影コマ画像に対応する画像データを記憶部から削除せずに保持する。
このように、最初の設定完了後の画像データの取り扱いについて２つの制御を使い分けることにより、例えば、１つの画像を複数のプリントサイズでプリントする際に、そのまま連続して異なるプリントサイズの設定を行うことができる。よって、上記従来の写真処理方法と比較して、スキャナ等を用いた画像の再読み取りが不要になるため、１つの撮影コマ画像に対して複数の設定がなされた複数のプリントを効率よく行うことができる写真処理方法を実行する写真処理プログラムを得ることができる。
【００２１】
さらに、画像データの取得が１回で済むため、１回目に取得した画像データと２回目に取得した画像データとで、画像の色合いに差が出るといった不具合を解消して安定して良好なプリント処理を行うこともできる。
【発明の効果】
【００２２】
第１の発明に係る写真処理装置によれば、１つの撮影コマ画像に対して複数の設定がなされた複数のプリントを効率よく行うことができる。
第２の発明に係る写真処理装置によれば、プリント処理を効率よく行うことができる。
第３の発明に係る写真処理装置によれば、高解像度の画像データを記憶部に保持したまま、低解像度の画像データに基づいて表示された表示部の画像を見ながら各種設定を行うことができる。
【００２３】
第４の発明に係る写真処理装置によれば、再度画像データを取得することなくそのまま複数の設定を行うことができる。
第５の発明に係る写真処理装置によれば、ユーザの操作性を向上させることができる。
第６の発明に係る写真処理プログラムによれば、１つの撮影コマ画像に対して複数の設定がなされた複数のプリントを効率よく行うことができる。
【発明を実施するための最良の形態】
【００２４】
本発明の一実施形態に係る写真プリントシステム（写真処理装置）１について、図１〜図１１を用いて説明すれば以下の通りである。
［写真プリントシステム１全体の構成］
本発明の一実施形態に係る写真処理装置は、図１に示すように、いわゆるデジタルミニラボと呼ばれる写真プリントシステム（写真処理装置）１である。
【００２５】
写真プリントシステム１は、操作ステーション（画像読取部、記憶部、表示部、設定入力部、第１制御部、第２制御部）２と、プリントステーション（プリント部）３とを備えている。
操作ステーション２は、現像された写真フィルム２ａやデジタルカメラ等で撮影されたデジタル画像データが保存されたメモリカード２ｂ等のメディアから画像データを取り込んでプリントデータを作成し、ケーブル４を介して接続されたプリントステーション３に対して送信する。
【００２６】
プリントステーション３は、操作ステーション２から受信したプリントデータに基づいて、印画紙Ｐに対して露光処理および現像処理を行って写真プリントを行う。
［操作ステーション２の構成］
操作ステーション２は、図１に示すように、デスク上に配置された、フィルムスキャナ（画像読取部）２１と、メディアリーダ（画像読取部）２２と、モニタ（表示部）２３と、キーボード２４と、マウス２５と、パソコン（記憶部、設定入力部、第１制御部、第２制御部）ＰＣとを有している。
【００２７】
フィルムスキャナ２１は、写真フィルム２ａに現像された撮影コマに対応する画像（以下、撮影コマ画像と示す）をデジタル画像データとして取り込む。
メディアリーダ２２は、本写真プリントシステム１のコントローラとして機能するパソコンＰＣに搭載されており、デジタルカメラ等で撮影された撮影コマ画像のデジタルデータをメモリカード２ｂや各種半導体メモリ、ＣＤ−Ｒ等のメディアから取り込む。
【００２８】
パソコンＰＣは、モニタ２３、キーボード２４、マウス２５と接続されている。ユーザは、モニタ２３に表示される後述するプレジャッジ画面において撮影コマ画像を見ながら、キーボード２４、マウス２５等のポインティングデバイスを用いてプリントサイズ、補正内容等の各種設定を行う。また、パソコンＰＣは、ＲＯＭ、ＲＡＭ、ＨＤＤ等の内蔵メモリ（記憶部）３０（図３参照）を有している。ここで、キーボード２４やマウス２５を介してユーザによって入力された指示に従って、内蔵メモリ３０に記憶された写真処理プログラムがＣＰＵによって読み込まれる。これにより、フィルムスキャナ２１やメディアリーダ２２等から取り込まれた画像データに対してプリント処理を行うために必要な機能が機能ブロックとして形成される。
【００２９】
パソコンＰＣは、上記機能ブロックとして、図３に示すように、画像入力部３１と、ＧＵＩ部３２と、第１制御部３３と、第２制御部３４と、画像処理部３５と、ビデオ制御部３７と、プリントデータ生成部３８と、フォーマット部３９とを機能ブロックとして有している。
画像入力部３１は、フィルムスキャナ２１やメディアリーダ２２によって読み取られた画像データを取り込んで、画像補正を行う原画像データとして内蔵メモリ３０に送信する。このとき、画像入力部３１は、撮影コマ画像を記録している媒体が写真フィルム２ａの場合には、プレスキャンモードと本スキャンモードとのスキャンデータを別々に内蔵メモリ３０に送り込む、一方、撮影コマ画像を記録している媒体がメモリカード２ｂなどの場合には、モニタ２３での一覧表示などの目的で使用するために、撮影画像の本データ（高解像度データ）とは別に、サムネイル画像データ（低解像度データ）を内蔵メモリ３０に格納する。このように、１つの撮影コマ画像を表す画像データとして高解像度データと低解像度データの２種類を内蔵メモリ３０に記憶させることで、後述するプレジャッジ画面においては低解像度データを用いて効率よくプリントサイズや補正内容、文字入れの有無等の設定を行うことができる。この結果、この低解像度データに基づいてプレジャッジ画面に表示された撮影コマ画像について設定されたプリントサイズ、補正内容等を反映させて高解像度データを処理することで、パソコンＰＣにおける計算負荷を低減することができる。
【００３０】
ＧＵＩ（Graphical User Interface）部３２は、各種ウインドウや各種操作ボタンなどを含むグラフィック操作画面を作成したり、このグラフィック操作画面を通じてのキーボード２４やマウス２５等を用いたユーザ操作入力に基づいて制御コマンドを生成したりするためのグラフィックユーザインターフェースを構築する。
第１制御部３３は、後述する操作入力画面（プレジャッジ画面）４０においてスタートボタン（第１入力部）４６に対応しており、１つの撮影コマ画像に対するプリントサイズ、補正内容、文字入れ等の設定が完了すると、内蔵メモリ３０からプリントステーション３へ対応する画像データを送信するとともに、内蔵メモリ３０からその画像データを削除するように制御する。
【００３１】
第２制御部３４は、後述する機能表示画面５０において連続プリントボタン（第２入力部）５１に対応しており、１つの撮影コマ画像に対するプリントサイズ、補正内容、文字入れ等の最初の設定が完了して内蔵メモリ３０からプリントステーション３へ対応する画像データを送信しても、内蔵メモリ３０からその画像データを削除せずに保持するように制御する。
【００３２】
画像処理部３５は、ユーザによって設定された色補正等の補正内容を反映させて各撮影コマ画像に対応する画像データに対して画像処理を行う。
設定入力部３６は、プリントサイズ、色補正等の補正内容、文字入れ等の設定をユーザの入力により受け付ける。
ビデオ制御部３７は、補正画像データに基づく補正再現画像や、プレジャッジプリント作業時にプリントソース画像や予想仕上がりプリント画像としてのシミュレート画像、さらにはＧＵＩ部３２から送られてきたグラフィックデータをモニタ２３に表示させるためのビデオ信号を生成する。
【００３３】
プリントデータ生成部３８は、最終的な補正画像データに基づいて、プリントステーション３のプリント露光部１４に適合するプリントデータを生成する。
フォーマット部３９は、顧客の要望に応じて、生の撮影画像データや画像補正が完了した補正撮影画像データ等について、ＣＤ−Ｒに書き込むためのフォーマットを行ってＣＤ−Ｒドライブへ送信する。
【００３４】
［プリントステーション３の構成］
プリントステーション３は、図２に示すように、内部に、２つの印画紙マガジン１１と、シートカッター１２と、バックプリント部１３と、プリント露光部１４と、処理槽ユニット１５と、コンベア１６と、ソータ１７（図１参照）と、印画紙搬送機構１８とを有している。
【００３５】
２つの印画紙マガジン１１は、プリントステーション３の内部においてロール状の印画紙Ｐを１つずつ収納しており、印画紙搬送機構１８によって適宜必要な量の印画紙Ｐが引き出される。
シートカッター１２は、印画紙搬送機構１８の一部と隣接するように配置されており、印画紙マガジン１１から引き出された印画紙Ｐをプリントサイズに切断する。
【００３６】
バックプリント部１３は、シートカッター１２の下流側であって印画紙搬送機構１８と隣接する位置に配置されており、プリントサイズに切断された印画紙Ｐの裏面側に、色補正情報やコマ番号等のプリント処理情報をプリント処理する。
プリント露光部１４は、バックプリント部１３の下流側における印画紙搬送機構１８に隣接するように配置されており、プリントサイズに切断された印画紙Ｐの表面に対して、プリントする撮影画像の露光を行う。また、プリント露光部１４には、副走査方向に搬送される印画紙Ｐに対して主走査方向に沿ってＲＧＢの３色のレーザ光線を照射する図示しないライン露光ヘッドを有している。
【００３７】
処理槽ユニット１５は、プリント露光部１４の下流側に配置されており、発色現像処理液を貯留する発色現像槽１５ａ、漂白定着処理液を貯留する漂白定着槽１５ｂ、安定処理液を貯留する安定処理層１５ｃを有している。そして、露光後の印画紙Ｐがこれらの各処理槽１５ａ〜１５ｃをこの順で経由しながら印画紙搬送機構１８によって搬送されることで、所望の写真プリント画像が印画紙Ｐの表面に形成される。
【００３８】
コンベア１６は、プリントステーション３の上部に露出しており、写真プリント画像が表面に形成されて乾燥処理後に排出された印画紙Ｐをソータ１７（図１参照）の方向へ搬送する。
ソータ１７は、プリントステーション３の前面側に鉛直方向に複数のトレイを並べた状態で配置されており、コンベア１６によって搬送されるプリント済の印画紙Ｐを、オーダー単位で各トレイに振り分ける（図１参照）。
【００３９】
印画紙搬送機構１８は、プリントステーション３の内部において、印画紙マガジン１１に収容されたロール状の印画紙Ｐを引き出すとともに、プリントサイズに切断された印画紙Ｐを、印画紙Ｐに対して行われる様々な処理に対応した搬送速度で搬送する。また、印画紙搬送機構１８は、印画紙Ｐの搬送方向におけるプリント露光部１４の上流側および下流側にそれぞれ配置されたチャッカー式搬送ユニット１８ａと、複数の挟持搬送ローラ対１８ｂとを有している。
【００４０】
［各撮影コマ画像に対する各種設定］
本実施形態の写真プリントシステム１における、画像データを取り込んでからプリントサイズ、補正処理、文字入れ等の各種設定を行う際のモニタ２３に実際に表示される画面について説明すれば、以下の通りである。
本実施形態では、図４に示すように、ユーザが撮影コマ画像を６つずつ表示する操作入力画面（プレジャッジ画面）４０において各撮影コマ画像をチェックしながら、各撮影コマ画像についてプリントの有無、プリント枚数、プリントサイズ、色補正等の補正内容、文字入れの有無等について設定を行う。
【００４１】
具体的には、フィルムスキャナ２１等によって取得され、内蔵メモリ３０に格納された画像データに対応する撮影コマ画像は、図４に示すような操作入力画面４０における６つの表示枠４１にそれぞれ表示される。この操作入力画面４０における各表示枠４１の下部には、色濃度補正設定エリア４２とプリント枚数設定エリア４３とが配置されている。
色濃度補正設定エリア４２には、「イエロー」、「マゼンタ」、「シアン」、「濃度」の設定枠が設けられており、補正量の「Ｎ」はニュートラルを意味し、これを選択すると補正なしとなる。プリント枚数設定エリア４３には、プリント枚数入力枠が設けられており、「パス」はプリント枚数が「０」であることを意味している。
【００４２】
また、操作入力画面４０における下段部分には、プリント条件表示エリア４４が配置されている。このプリント条件表示エリア４４では、この写真プリント出力に適用されたプリントチャンネル名称が表示されており、このプリントチャンネルに含まれているプリントサイズ、インデックスプリントの要否やメディア出力の要否などが決定される。なお、プリントサイズとは、Ｃ、Ｐ、Ｌ、２Ｌ等の仕上がり写真プリントの大きさを示すものであり、本実施形態では印画紙幅と送り長さとでプリントサイズが決定される。
【００４３】
さらに、操作入力画面４０における両端の下段部には、ファンクションキー４５とスタートボタン（第１入力部）４６とが配置されている。ファンクションキー４５は、クリックされると、図５に示す連続プリントボタン（第２入力部）５１を含む機能表示画面５０へと移行する。スタートボタン４６は、図３に示す第１制御部３３に対応しており、クリックされると、操作入力画面４０において設定されたプリント枚数、プリントサイズ、補正内容等を反映させて画像データを内蔵メモリ３０から取り出してプリントデータ生成部３８においてプリントデータを作成する。そして、内蔵メモリ３０から取り出された画像データは自動的に内蔵メモリ３０から削除される。
【００４４】
ファンクションキー４５をクリックして表示される機能表示画面５０では、図５に示すように、連続プリントボタン５１およびプリント設定変更ボタン５２を含む複数のボタンが表示されている。
連続プリントボタン５１は、図３に示す第２制御部３４に対応しており、クリックされると、操作入力画面４０において最初に設定された内容を反映させたプリントデータがプリントデータ生成部３８において作成される。このとき、上述したスタートボタン４６をクリックした場合と異なり、プリントデータが作成された画像データは内蔵メモリ３０から削除されることなく、その撮影コマ画像についての全ての設定が完了するまで内蔵メモリ３０で保持される。つまり、連続プリントボタン５１は、１つの撮影コマ画像について異なるプリントサイズでのプリントを行う場合のように複数の設定を行う場合にクリックされる。
【００４５】
プリント設定変更ボタン５２は、クリックされると、図７に示すプリント設定画面７０へ移行する。プリント設定画面７０では、プリントする印画紙Ｐの幅や面質、プリントサイズ、フレームの設定等が行われる。
ここで、本実施形態の写真プリントシステム１によるプリント操作の流れについて、図１０に示すフローチャートと上述したモニタ２３に表示される各画面を用いて説明すれば以下の通りである。なお、ここでは、プリント処理の一例として、図４に示す操作入力画面４０に表示された６コマの撮影コマ画像のうち、上段の中央の撮影コマ画像をＣサイズで１枚、上段右側の撮影コマ画像をＣサイズ、Ｐサイズで各１枚ずつプリントする場合について説明する。
【００４６】
ステップＳ１において、写真フィルム２ａについてはフィルムスキャナ２１、写真データを記録した各種メディアについてはメディアリーダ２２を用いて撮影コマ画像がデジタル化されて取得される。このとき、機能ブロックとしての画像入力部３１を経て内蔵メモリ３０に一時的に保存される。このとき、内蔵メモリ３０へ送信される画像データは、実際の写真プリント用の高解像度画像データと、操作入力画面４０において表示される撮影コマ画像用の低解像度画像データという２形態で画像入力部３１から送信される。
【００４７】
ステップＳ２においては、図４に示すように、ステップＳ１において取得された撮影コマ画像のうち６コマ分を表示した操作入力画面４０がモニタ２３に表示される。
ステップＳ３においては、操作入力画面４０に表示された６コマの撮影コマ画像のそれぞれについて、プリント枚数、プリントサイズ、補正内容等の各種設定を行うか否かのジャッジを行う。
【００４８】
具体的な操作としては、ステップＳ４において、操作入力画面４０において表示されている上段中央の撮影コマ画像のプリントサイズをＣサイズに設定する（図４の矢印参照）。
ステップＳ５では、プリントサイズ等の各種プリント条件の設定を変更するか否かを選択する。本実施形態では、上段中央に表示された撮影コマ画像はＣサイズで１枚だけプリントするため、プリントサイズの変更は行わない。よって、ステップＳ６へ進み、次の撮影コマ画像の設定を行うか否かの決定を行う。本実施形態では、さらに上段右上の撮影コマ画像のプリントも行うため、ステップＳ３へ戻って上段右側の撮影コマ画像について各種設定を行うか否かのジャッジを行う。
【００４９】
次に、ステップＳ４において、上段右上の撮影コマ画像について、図４に示す操作入力画面４０においてプリントサイズをＣサイズに設定する（図４の白矢印参照）。
ステップＳ５においては、上段右側の撮影コマ画像についてプリントサイズを変更してプリントを行うか否かを決定する。本実施形態では、上段右側の撮影コマ画像について２種類のサイズでプリントするため、図１１に示すステップＳ１１へ進む。
【００５０】
ステップＳ１１において、ファンクションキー４５をクリックすると、操作入力画面４０から図５に示す機能表示画面５０へとモニタ２３の画面が切り替わる。そして、ステップＳ１２において、図５に示す機能表示画面５０に含まれる連続プリントボタン５１をクリックすると、ステップＳ１３において、既に設定が完了した上段中央の撮影コマ画像と上段右側の撮影コマ画像とがＣサイズでプリント処理される。このとき、ほぼ同時にステップＳ１４において、連続プリントの設定がされておらず、異なるサイズでのプリントを行わない上段中央の撮影コマ画像に対応するプリント処理済の画像データが内蔵メモリ３０から削除される。一方、さらに異なるサイズでプリントする上段右側の撮影コマ画像については、対応する画像データを内蔵メモリ３０で保持したままとする。このため、１つの撮影コマ画像に対して複数の設定を行う場合でも、ステップＳ１で行われるフィルムスキャナ２１等を用いた画像データの取得を再度行う必要はない。
【００５１】
次に、図１０に示すステップＳ４へ進み、図６に示すように、上段右側の撮影コマ画像のプリントサイズをＰサイズに変更して設定する（図６の矢印参照）。なお、Ｐサイズでのプリントを行う上段側の撮影コマ画像について、プリント設定を変更する場合には、図５に示すプリント設定変更ボタン５２をクリックして図７に示すプリント設定画面７０をモニタ２３に表示させる。図７に示すプリント設定画面７０では、ペーパーの幅、送り、白縁の幅（ＷＢ幅）、ＣＶＰ印字の有無、フロントプリントの有無、メディアのフィッティング設定、フレームデータ（記念文字焼き）の有無について設定することができる。例えば、フレームデータの設定を変更する場合には、図７に示すフレーム設定部７１をクリックする。すると、図８に示すフレーム登録画面８０がモニタ２３に表示される。図８に示すフレーム登録画面８０では、登録された文字やフレームと選択された撮影コマ画像とを組み合わせてプリントを行う際に使用する文字やフレームを選択する。例えば、写真に文字を入れてプリントする場合には、図８に示すフレーム登録画面８０に含まれる記念文字焼きのダイアログ８１内のチェックボックスにチェックを入れてＯＫボタン８２をクリックする。すると、図９に示すように、プリント設定画面７０のフレーム設定部７１が「なし」から「文字」へと切り替わる。そして、このプリント設定画面７０においてＯＫボタン７２をクリックすると図６に示す操作入力画面４０へとモニタ２３の表示が切り替わる。
【００５２】
そして、ステップＳ５において、プリントサイズの変更なしを決定し、ステップＳ６において、次の撮影コマ画像の設定を行わないことを決定して、ステップＳ７へと進む。
ステップＳ７において、図４に示す操作入力画面４０に含まれるスタートボタン４６をクリックすると、ステップＳ８において、上段右側の撮影コマ画像のＰサイズでのプリント処理が行われるとともに、ステップＳ９において上段右側の撮影コマ画像に対応する高解像度の画像データが内蔵メモリ３０から削除されて処理が終了する。
【００５３】
［写真プリントシステム１の特徴］
（１）
本実施形態の写真プリントシステム１は、フィルムスキャナ２１等の画像読取部によって取得された撮影コマ画像に対応する画像データを内蔵メモリ３０に一時的に記憶し、設定入力が完了すると内蔵メモリ３０から画像データを取り出してプリントする写真処理装置であって、図３に示すように、１つの撮影コマ画像について、１つの設定でプリントする場合には設定完了後に内蔵メモリ３０から対応する画像データを削除する第１制御部３３と、複数の設定を行ってそれぞれの設定でプリントする場合には各設定が完了しても内蔵メモリ３０から対応する画像データを削除せずに保持する第２制御部３４と、を備えている。
【００５４】
これにより、１つの撮影コマ画像について、例えば、複数のサイズでプリント処理を行う場合には、最初のプリントサイズを設定後に第２制御部３４に対応する連続プリントボタン５１（図５に示す機能表示画面５０参照）をクリックすることで、内蔵メモリ３０から画像データが削除されることなく、連続して異なるサイズを設定してプリントを行うことができる。このため、１つの撮影コマ画像について複数の設定を行ってそれぞれプリントする場合でも、フィルムスキャナ２１等の画像読取部を用いて再度画像データを取り込まなくてもそのまま連続して複数の設定を行うことができる。よって、従来の写真処理装置よりも１つの撮影コマ画像について複数の設定を反映させた複数のプリント処理を効率よく行うことができる。
【００５５】
（２）
本実施形態の写真プリントシステム１では、１つの撮影コマ画像について複数の設定を行ってプリントする場合において、各設定が完了するたびに内蔵メモリ３０から画像データをプリントステーション３に対して送信する。
これにより、複数の設定を行っている間に確定した設定順にプリント処理を実施することができるため、効率よくプリントすることができる。また、このように１つの撮影コマ画像について複数の設定を行い、それぞれの設定内容を反映させて連続してプリント処理を行う場合でも、プリントする順番を入れ替えることなく、モニタ２３に表示された順のままでプリントすることができる。
【００５６】
（３）
本実施形態の写真プリントシステム１では、高解像度の画像データと低解像度の画像データとが、内蔵メモリ３０に一時的に記憶されている。
これにより、高解像度の画像データについてはプリント処理用に使用する一方、低解像度の画像データについては、モニタ２３に表示されるプレジャッジ用の操作入力画面４０（図４参照）に表示する画像用に使用することができる。よって、操作入力画面４０における操作性を向上させて各種設定を行うことができる。
【００５７】
（４）
本実施形態の写真プリントシステム１では、それぞれの撮影コマ画像について、プリントサイズ、色補正等の補正内容、文字入れ等の設定を行う。
これにより、１つの撮影コマ画像について、プリントサイズを変更したり、補正内容を変更したりしてプリントする場合でも、フィルムスキャナ２１等によって再度画像データを取得することなく、そのまま連続して複数の設定を行うことができる。
【００５８】
（５）
本実施形態の写真プリントシステム１では、図３に示す第１制御部３３と第２制御部３４とに対応するボタンとして、図４に示す操作入力画面４０上に配置されたスタートボタン４６と、図５に示す機能表示画面５０上に配置された連続プリントボタン５１とを設けている。
【００５９】
これにより、ユーザは１つの撮影コマ画像について１つの設定でプリントする場合には、図４に示す操作入力画面４０上でスタートボタン４６をクリックし、複数の設定を行ってそれぞれの設定内容でプリントする場合には、図５に示す機能表示画面５０上で連続プリントボタン５１をクリックすればよい。この結果、ユーザにとっての操作性を向上させることができる。
【００６０】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、本発明を写真処理装置として実現した例を挙げて説明した。しかし、本発明はこれに限定されるものではない。
【００６１】
例えば、１つの撮影コマ画像について複数の設定を行う場合には内蔵メモリ３０から画像データを削除せずに保持する工程を含む画像処理方法をコンピュータに実行させる写真処理プログラムとして実現することもできる。本発明を写真処理プログラムとして実現した場合でも、コンピュータによって所望の写真処理方法を実行されることで、上記と同様の効果を得ることができる。
【００６２】
（Ｂ）
上記実施形態では、第１制御部３３に対応するスタートボタン４６と、第２制御部３４に対応する連続プリントボタン５１とを異なる画面上に表示している例を挙げて説明した。しかし、本発明はこれに限定されるものではない。
例えば、スタートボタン４６と連続プリントボタン５１とを同一の画面上に表示した場合でも、上記と同様の効果を得ることができる。
【００６３】
（Ｃ）
上記実施形態では、画像データを取得する画像読取部としてフィルムスキャナ２１とメディアリーダ２２とを使用した例を挙げて説明した。しかし、本発明はこれに限定されるものではない。
例えば、インターネットを通じて画像データを取得してもよいし、その他の画像データ取得手段を用いて画像データを取り込んでもよい。
【００６４】
（Ｄ）
上記実施形態では、第１制御部３３と第２制御部３４とが別個独立した存在である例を挙げて説明した。しかし、本発明はこれに限定されるものではない。
例えば、第１制御部と第２制御部とが１つの制御部としてまとまっていてもよい。
（Ｅ）
上記実施形態では、内蔵メモリ３０において高解像度の画像データと低解像度の画像データとをそれぞれ記憶する例を挙げて説明した。しかし、本発明はこれに限定されるものではない。
【００６５】
例えば、内蔵メモリ３０には高解像度の画像データのみ記憶させておき、モニタ２３に表示する際にはその都度低解像度の画像データを作成してもよい。
【産業上の利用可能性】
【００６６】
本発明の写真処理装置は、１つの画像データに対して複数の設定を反映させたプリントを効率よく行うことができるという効果を奏することから、１つの画像データに対して複数の設定を行う写真処理装置や画像処理装置等に対して広く適用可能である。
【図面の簡単な説明】
【００６７】
【図１】本発明の一実施形態に係る画像処理装置を備えた写真プリントシステムを示す外観図。
【図２】図１の写真プリントシステムのプリントステーションの構成を示す概略図。
【図３】図１の写真プリントシステムにおいて形成される機能ブロックを含む制御ブロック図。
【図４】図１の写真プリントシステムのモニタに表示される操作入力画面を示す図。
【図５】図１の写真プリントシステムのモニタに表示される機能表示画面を示す図。
【図６】図１の写真プリントシステムのモニタに表示される操作入力画面を示す図。
【図７】図１の写真プリントシステムのモニタに表示されるプリント設定画面を示す図。
【図８】図１の写真プリントシステムのモニタに表示されるフレーム登録画面を示す図。
【図９】図１の写真プリントシステムのモニタに表示されるプリント設定画面を示す図。
【図１０】本発明の一実施形態に係る写真処理プログラムによる写真処理方法の流れを示すフローチャート。
【図１１】図１０に示す写真処理方法の一部を示すフローチャート。
【符号の説明】
【００６８】
１      写真プリントシステム（写真処理装置）
２      操作ステーション
２ａ    写真フィルム
２ｂ    メモリカード
３      プリントステーション（プリント部）
２３      モニタ（表示部）
３０      内蔵メモリ（記憶部）
３１      画像入力部（画像読取部）
３２      ＧＵＩ部
３３      第１制御部
３４      第２制御部
３５      画像処理部
３６      設定入力部
３８      プリントデータ生成部
４０      操作入力画面
４１      表示枠
４２      色濃度補正設定エリア
４３      プリント枚数設定エリア
４４      プリント条件表示エリア
４５      ファンクションキー
４６      スタートボタン（第１入力部）
５０      機能表示画面
５１      連続プリントボタン（第２入力部）
５２      プリント設定変更ボタン
７０      プリント設定画面
７１      フレーム設定エリア
８０      フレーム登録画面
８１      記念文字焼きエリア
Ｓ      ステップ
【図１】
2006178272.tif 000003
【図２】
2006178272.tif 000004
【図３】
2006178272.tif 000005
【図４】
2006178272.tif 000006
【図５】
2006178272.tif 000007
【図６】
2006178272.tif 000008
【図７】
2006178272.tif 000009
【図８】
2006178272.tif 000010
【図９】
2006178272.tif 000011
【図１０】
2006178272.tif 000012
【図１１】
2006178272.tif 000013